(57)【要約】【課題】    ＲＣ構造部材間の接合部を変形能力（エネルギーの吸収能力）が大きく、かつ非常にコンパクトな接合部とすることを可能にしたＲＣ構造部材のヒンジ継手構造を提供する。【解決手段】  斜材３の上端部に形成された凸部３ａと上床版１の斜材受け５に形成された凹部５ａを突き合わせて嵌合させ、ヒンジ継手構造を形成する。斜材３の上端部にはオス側継手金物６を斜材受け５にメス側継手金物７を取り付ける。オス側継手金物６は、凸部３ａの表面を覆う凸形表面部６ａと斜材３の端部コンクリート中に定着された定着部６ｂとから形成する。メス側継手金物７は、凹部５ａの表面を覆う凹形表面部７ａと斜材受け５のコンクリート中に定着される定着部７ｂとから形成する。【選択図】                  図２
2006241901.tif 000002
【特許請求の範囲】
【請求項１】
一方のＲＣ構造部材に形成された凸部と他方のＲＣ構造部材に形成された凹部を突き合わせて嵌合させてなるＲＣ構造部材のヒンジ継手構造において、前記一方のＲＣ構造部材の凸部には該凸部の表面を覆う凸形表面部と該ＲＣ構造部材のコンクリート中に定着される定着部とからなり、該凸形表面部と定着部とによりこれらの内側のコンクリートを拘束するようにした鋼板製のオス側継手金物が設けられ、前記他方のＲＣ構造部材の凹部には該凹部の表面を覆う凹形表面部と該ＲＣ構造部材のコンクリート中に定着される定着部とからなり、該凹形表面部と定着部とによりこれらの内側のコンクリートを拘束するようにした鋼板製のメス側継手金物が設けられていることを特徴とするＲＣ構造部材のヒンジ継手構造。
【請求項２】
前記オス側継手金物の定着部および前記メス側継手金物の定着部には多数の小孔が設けられていることを特徴とする請求項１記載のＲＣ構造部材のヒンジ継手構造。
【請求項３】
前記オス側継手金物の定着部および前記メス側継手金物の定着部の外側のコンクリート中に、それぞれの定着部を取り囲むようにフープ状の補強筋が配筋されていることを特徴とする請求項１または２記載のＲＣ構造部材のヒンジ継手構造。
【請求項４】
前記オス側継手金物と前記メス側継手金物の突き合わせ方向に、これらを貫通して、一端が前記一方のＲＣ構造部材に定着され、他端が前記他方のＲＣ構造部材に定着される緊張材が設けられていることを特徴とする請求項１、２または３記載のＲＣ構造部材のヒンジ継手構造。
【発明の詳細な説明】
【技術分野】
【０００１】
本発明は、一方のＲＣ構造部材に形成された凸部と他方のＲＣ構造部材に形成された凹部を突き合わせて嵌合させてなるＲＣ構造部材のヒンジ継手構造に関し、例えばＲＣまたはＰＣ箱桁橋梁の上部構造などに適用される。
【背景技術】
【０００２】
例えば、箱桁橋として、箱型断面の鉄筋コンクリート製またはプレストレストコンクリート製のプレキャストコンクリート（以下「ＰＣ」という）ブロックを張出し架設などによって施工し、特に上下の床版とウェブ材とからなる箱桁の重量を軽量化して構造の合理化や施工性の向上を図るため、箱桁のウェブ部分に斜材を設置してトラス構造としたＰＣ箱型橋が知られている（特許文献１）。
【０００３】
ところで、トラス構造は理論上、格点部がピン構造となるため軸力のみを負担するが、複合トラスの場合は格点部が剛結もしくはそれに近い構造となるため、軸力の他に曲げとせん断力も作用する。
【特許文献１】特開２００３−１４７７２７号公報
【特許文献２】特開平１１−２２２８１６号公報
【特許文献３】特開２０００−１０４２１９号公報
【発明の開示】
【発明が解決しようとする課題】
【０００４】
従来、上記したＰＣ箱型橋の場合、斜材と上下床版との格点部は、上記した曲げとせん断力に耐えうる構造とする必要から、断面の大型化、構造の複雑化が免れないという課題があった。また、地震時などの過大な応力によって割裂ひび割れ等が発生し、脆性破壊に至るおそれもあった。
【０００５】
本発明は、以上の課題を解決するためになされたもので、変形能力（エネルギーの吸収能力）が大きく、かつ非常にコンパクトなヒンジ継手構造とすることができるＲＣ構造部材のヒンジ継手構造を提供することを目的とする。
【課題を解決するための手段】
【０００６】
請求項１記載のＲＣ構造部材のヒンジ継手構造は、一方のＲＣ構造部材に形成された凸部と他方のＲＣ構造部材に形成された凹部を突き合わせて嵌合させてなるＲＣ構造部材のヒンジ継手構造において、前記一方のＲＣ構造部材の凸部には該凸部の表面を覆う凸形表面部と該ＲＣ構造部材のコンクリート中に定着される定着部とからなり、該凸形表面部と定着部とによりこれらの内側のコンクリートを拘束するようにした鋼板製のオス側継手金物が設けられ、前記他方のＲＣ構造部材の凹部には該凹部の表面を覆う凹形表面部と該ＲＣ構造部材のコンクリート中に定着される定着部とからなり、該凹形表面部と定着部とによりこれらの内側のコンクリートを拘束するようにした鋼板製のメス側継手金物が設けられていることを特徴とするものである。
【０００７】
本発明は特に、ＲＣ構造部材どうしの接合部に作用する曲げモーメントとせん断力を鋼板製の継手金物の変形で吸収することで接合部における曲げモーメント等の応力を緩和するとともに、前記継手金物によるコンクリートの拘束効果によってコンクリート強度を向上させ、接合部における割裂ひび割れ等の発生を未然に防止するようにしたものである。
【０００８】
この場合のオス側継手金物の形状としては、例えば端部断面が円弧状をなし、側面から見てＵ字状に形成されたもの、あるいは端部が凸曲面状（球面状）のキャップ状に形成されたもの等を考えることができる。一方、メス側継手金物としては、例えば端部断面がオス側継手金物の端部断面に対応した円弧状をなし、ほぼＵ字状に形成されたもの、あるいは端部がオス側継手金物の凸曲面状に対応した凹曲面状をなすキャップ状に形成されたもの等を考えることができる。
【０００９】
請求項２記載のＲＣ構造部材のヒンジ継手構造は、請求項１記載のＲＣ構造部材のヒンジ継手構造において、前記オス側継手金物の定着部および前記メス側継手金物の定着部には多数の小孔が設けられていることを特徴とするものであり、特にコンクリートの付着力を高めて継手金物を一体的に取り付けることができるとともに、継手金物によるコンクリートの拘束効果も高めることができる。
【００１０】
請求項３記載のＲＣ構造部材のヒンジ継手構造は、請求項１または２記載のＲＣ構造部材のヒンジ継手構造において、前記オス側継手金物の定着部および前記メス側継手金物の定着部の外側のコンクリート中に、それぞれの定着部を取り囲むようにフープ状の補強筋が配筋されていることを特徴とするものであり、補強筋によるコンクリートの拘束効果によりコンクリートの強度向上を図ることができる。
【００１１】
請求項４記載のＲＣ構造部材のヒンジ継手構造は、請求項１、２または３記載のＲＣ構造部材のヒンジ継手構造において、前記オス側継手金物と前記メス側継手金物の突き合わせ方向に、これらを貫通して、一端が前記一方のＲＣ構造部材に定着され、他端が前記他方のＲＣ構造部材に定着される緊張材が設けられていることを特徴とするものであり、特に引張力を緊張材に負担させることにより、継手金物の設計および製作を簡単にすることができる。なお、この場合の緊張材としては、例えばＰＣ鋼棒やＰＣケーブル等を利用することができる。
【発明の効果】
【００１２】
本発明は、ＲＣ構造部材どうしの接合部に作用する曲げモーメントとせん断力を鋼板製の継手金物の変形で吸収することで接合部における曲げモーメント等の応力を緩和することができ、ＲＣ構造部材間の接合部を変形能力（エネルギーの吸収能力）が大きく、かつ非常にコンパクトなヒンジ継手構造とすることができる。
【００１３】
また、継手金物によるコンクリートの拘束効果によってコンクリートの強度を向上させることができ、接合部におけるコンクリートの割裂ひび割れ等の発生を未然に防止することができる。
【発明を実施するための最良の形態】
【００１４】
図１，２は、複合箱桁の一例を示し、図において、上床版１と下床版２がそれぞれ箱桁軸方向に平行に配置され、この上下の床版１と床版２間の両側ウェブに相当する位置に複数の斜材３が箱桁軸方向に立面視でＸ字状に交差して配置され、かつ各斜材３の上端部と下端部はそれぞれ上床版１と下床版２にヒンジ継手構造によって接合されている。
【００１５】
上床版１と下床版２は共に、複数の床版ブロック４を箱桁軸方向に互いに接合しながら配置することにより形成され、各床版ブロック４は高強度コンクリートまたは短繊維補強コンクリートからなる版状のＰＣ部材から形成されている。また、斜材３も床版ブロック４と同様に、高強度コンクリート、短繊維補強コンクリート、またはＦＲＰ等からなるＰＣ部材から形成されている。
【００１６】
図１(ｃ)と図２は特に、各斜材３と上床版１との接合部を示し、図示するように、斜材３の上端部に形成された凸部３ａと上床版１の斜材受け５に形成された凹部５ａが突き合わさって嵌合し、ヒンジ継手構造が形成されている。
【００１７】
斜材３の上端部にはオス側継手金物６が取り付けられ、斜材受け５にはメス側継手金物７が取り付けられている。
【００１８】
オス側継手金物６は、凸部３ａの表面を覆う凸形表面部６ａと斜材３の端部コンクリート中に定着された定着部６ｂとから形成され、かつ凸形表面部６ａと定着部６ｂとによりこれらの内側のコンクリートを拘束するように斜材３の上端部に取り付けられている。
【００１９】
一方、メス側継手金物７は、凹部５ａの表面を覆う凹形表面部７ａと斜材受け５のコンクリート中に定着される定着部７ｂとから形成され、凹形表面部７ａと定着部７ｂとによりこれらの内側のコンクリートを拘束するように斜材受け５に取り付けられている。
【００２０】
すなわち、オス側継手金物６とメス側継手金物７は、共に薄鋼板から側面視でＵ字状に形成され、さらにオス側継手金物６は円弧状に形成された凸形表面部６ａを斜材３の凸部３ａに被せ、かつ板状に延びる定着部６ｂ，６ｂが斜材３の端部コンクリート内に埋設して定着されている。
【００２１】
一方、メス側継手金物７はオス側継手金物６の凸形表面部６ａに対応して形成された凹形表面部７ａを斜材受け５の凹部５ａに被せ、かつ板状に延びる定着部７ｂ，７ｂが斜材受け部５のコンクリート内に埋設して定着されている。
【００２２】
また、オス側継手金物６の定着部６ｂ，６ｂとメス側継手金物７の定着部７ｂ，７ｂには、それぞれ複数の小孔６ｃと７ｃが形成され、さらにその周囲に補強筋９として複数のフープ筋またはスパイラル筋が配筋されている。
【００２３】
さらに、オス側継手金物６とメス側継手金物７の突き合わせ方向に、緊張鋼材８が挿通され、かつその一端側８ａは斜材３側のコンクリート内に定着され、他端側８ｂは斜材受け５側のコンクリート内に定着されている。なお、特に図示しないが、各斜材３の下端部と下床版２との接合部も同様のヒンジ継手構造によって接合されている。  
【産業上の利用可能性】
【００２４】
本発明は、ＲＣ構造部材間の接合部を変形能力（エネルギーの吸収能力）が大きく、かつ非常にコンパクトなヒンジ継手構造とすることができる。
【図面の簡単な説明】
【００２５】
【図１】本発明の複合箱桁を示し、(ａ)は箱桁の軸直角方向から見た立面図、(ｂ)は箱桁の軸方向から見た立面図、（ｃ）は（ａ）におけるイ部拡大断面図である。
【図２】各斜材の上端部と上床版との接合部を示す図１(ａ)におけるイ部分解拡大斜視図である。
【符号の説明】
【００２６】
１  上床版（他方のＲＣ構造部材）
２  下床版
３  斜材（一方のＲＣ構造部材）
４  床版ブロック
５  斜材受け
６  オス側継手金物
７  メス側継手金物
８  緊張鋼材（緊張材）
９  補強筋
【図１】
2006241901.tif 000003
【図２】
2006241901.tif 000004